(57)【要約】【課題】構成部材を組替えることにより高さを変更することが可能であり、しかも最小部品点数で三段階の高さ調節を行うことができ、しかも座卓のように床に直接座ったまま使用できる高さにも変更でき、デザイン的にもスッキリした組替え可能なテーブルを提供する。【解決手段】構成部材を組替えることにより高さを変更することが可能な組替え可能なテーブルであって、構成部材として、天板１と、それぞれ３辺の寸法が異なる長辺ａ、中辺ｂ、短辺ｃを有する箱状の一対の脚箱２と、脚箱の短辺と略同じ横幅を有し且つ脚箱の長辺と略同じ長さを有する一対の脚板３とからなり、天板下面の両側部に両脚箱の長辺又は中辺を垂直に向けて連結し且つ各脚箱の下端に脚板をその板面を水平に向けて連結し、若しくは天板下面の両側部に、短辺を垂直に向けた脚箱と板面を垂直に向けた脚板の一方又は双方をそれぞれ連結してなる。【選択図】　　　　図２
2004016450.tif 000002
【特許請求の範囲】
【請求項１】
構成部材を組替えることにより高さを変更することが可能な組替え可能なテーブルであって、前記構成部材として、天板と、それぞれ３辺の寸法が異なる長辺、中辺、短辺を有する箱状の一対の脚箱と、前記脚箱の短辺と略同じ横幅を有し且つ前記脚箱の長辺と略同じ長さを有する一対の脚板とからなり、前記天板下面の両側部に前記両脚箱の長辺又は中辺を垂直に向けて連結し且つ各脚箱の下端に前記脚板をその板面を水平に向けて連結し、若しくは前記天板下面の両側部に、短辺を垂直に向けた前記脚箱と板面を垂直に向けた前記脚板の一方又は双方をそれぞれ連結してなることを特徴とする組替え可能なテーブル。
【請求項２】
前記天板下面の両側部であって、内側に短辺を垂直に向けて前記脚箱を配し、外側に板面を垂直に向けて前記脚板を配した状態で連結してなる請求項１記載の組替え可能なテーブル。
【請求項３】
前記天板下面の両側部に前記両脚箱の短辺を垂直に向けて連結し且つ各脚箱の外側に前記脚板をその板面を垂直に向けて連結し又は前記天板下面の両側部に板面を垂直に向けて前記脚板を連結し且つ各脚板の内側に短辺を垂直に向けて前記脚箱を連結してなる請求項２記載の組替え可能なテーブル。
【請求項４】
前記脚箱の内部に少なくとも一面が開放した収納空間を有してなる請求項１〜３何れかに記載の組替え可能なテーブル。
【請求項５】
構成部材を組替えることにより高さを変更することが可能な組替え可能なテーブルであって、前記構成部材として、天板と、それぞれ３辺の寸法が異なる長辺、中辺、短辺を有する箱状の一対の脚箱とからなり、前記天板下面の両側部に前記両脚箱の長辺又は中辺又は短辺を垂直に向けて連結してなることを特徴とする組替え可能なテーブル。
【発明の詳細な説明】
【０００１】
【発明の属する技術分野】
本発明は、組替え可能なテーブルに係わり、更に詳しくは構成部材を組替えることにより高さを変更することが可能な組替え可能なテーブルに関するものである。
【０００２】
【従来の技術】
従来から、天板と複数の箱体を組合せてテーブル等の構造体を構成できる組立て家具は提供されている。例えば、特開平８−３６６号公報にて開示される組立て家具は、少なくとも１辺が基準寸法を有する複数種の筒状直方体の箱体群と適宜板体とからなり、１個の箱体を単独で用い又は複数個の箱体を用いて基準寸法の辺同士を接合して構造体を構築できるものである。更には、複数個の同種又は異種の箱体を互いに接合して両側に脚部を形成し、その上面間に板体を載置して天板となし、机を構築することができるものである。
【０００３】
上記公報記載のものでも、箱体の積み上げ個数を選択することによって天板の高さを変更することができる。しかし、天板の高さを変更する毎に、必要な箱体の個数が異なるので、箱体の過不足が生じる。また、比較的高さの高い机を構成することを想定しているため、座卓のように高さが極端に低いものは構成できなかった。また、デザイン的にも脚部の横幅が、箱体の横幅で規定されるので、幅広い脚部となってスッキリとしたものではなかった。
【０００４】
【発明が解決しようとする課題】
本発明が前述の状況に鑑み、解決しようとするところは、構成部材を組替えることにより高さを変更することが可能であり、しかも最小部品点数で三段階の高さ調節を行うことができ、しかも座卓のように床に直接座ったまま使用できる高さにも変更でき、デザイン的にもスッキリした組替え可能なテーブルを提供する点にある。
【０００５】
【課題を解決するための手段】
本発明は、前述の課題解決のために、構成部材を組替えることにより高さを変更することが可能な組替え可能なテーブルであって、前記構成部材として、天板と、それぞれ３辺の寸法が異なる長辺、中辺、短辺を有する箱状の一対の脚箱と、前記脚箱の短辺と略同じ横幅を有し且つ前記脚箱の長辺と略同じ長さを有する一対の脚板とからなり、前記天板下面の両側部に前記両脚箱の長辺又は中辺を垂直に向けて連結し且つ各脚箱の下端に前記脚板をその板面を水平に向けて連結し、若しくは前記天板下面の両側部に、短辺を垂直に向けた前記脚箱と板面を垂直に向けた前記脚板の一方又は双方をそれぞれ連結してなる組替え可能なテーブルを構成した。
【０００６】
ここで、前記天板下面の両側部であって、内側に短辺を垂直に向けて前記脚箱を配し、外側に板面を垂直に向けて前記脚板を配した状態で連結してなることが好ましい。
【０００７】
この場合、前記天板下面の両側部に前記両脚箱の短辺を垂直に向けて連結し且つ各脚箱の外側に前記脚板をその板面を垂直に向けて連結し又は前記天板下面の両側部に板面を垂直に向けて前記脚板を連結し且つ各脚板の内側に短辺を垂直に向けて前記脚箱を連結してなるのである。
【０００８】
また、前記脚箱の内部に少なくとも一面が開放した収納空間を有してなることがより好ましい。
【０００９】
また、本発明は、構成部材を組替えることにより高さを変更することが可能な組替え可能なテーブルであって、前記構成部材として、天板と、それぞれ３辺の寸法が異なる長辺、中辺、短辺を有する箱状の一対の脚箱とからなり、前記天板下面の両側部に前記両脚箱の長辺又は中辺又は短辺を垂直に向けて連結してなる組替え可能なテーブルを構成した。
【００１０】
【発明の実施の形態】
次に本発明の実施の形態を添付図面に基づき更に詳細に説明する。図１〜図３は、本発明に係る組替え可能なテーブルの代表的実施形態を示し、図中符号１は天板、２は脚箱、３は脚板をそれぞれ示している。ここで、図１に示した態様は、高さが約７００ｍｍの通常テーブル又はデスク（Ａ態様テーブル）を示している。そして、図４に示した態様は、高さが約４００ｍｍのリビングテーブル（Ｂ態様テーブル）であり、図６に示した態様は、高さが約１００ｍｍの座卓（Ｃ態様テーブル）である。
【００１１】
先ず、本発明に係る組替え可能なテーブルは、構成部材を組替えることにより高さを変更することが可能なものであるが、この構成部材として、天板１と、それぞれ３辺の寸法が異なる長辺ａ、中辺ｂ、短辺ｃを有する箱状の一対の脚箱２，２と、前記脚箱２の短辺ｃと略同じ横幅を有し且つ前記脚箱２の長辺ａと略同じ長さを有する一対の脚板３，３とからなっている。尚、前記脚板３，３は、原理的には省略することも可能である。
【００１２】
前記天板１は、本実施形態では平面視長方形のものを示したが、平面視形状は特に限定されない。しかし、後述のＣ態様テーブルを構成するために、前記脚箱２の最大外形寸法の２倍以上の大きさが少なくとも必要である。
【００１３】
前記脚箱２は、平行に配した長尺板４，４の両端間に、該長尺板４と同一幅の短尺板５，５を平行に連結するとともに、長尺板４，４の中間部間に、該長尺板４と同一幅の中間板６を連結した箱状のものである。そして、この脚箱２の最も長い辺を長辺ａとし、中間の長さの辺を中辺ｂとし、最も短い辺を短辺ｃと称している。ここで、前記脚箱２は、短辺ｃの方向の両面が開放した形状となっているが、一面を閉塞板で塞いで一面のみ開放した形状でも良い。つまり、前記脚箱２は、外形寸法がａ×ｂ×ｃで、その内部に少なくとも一面が開放した収納空間７を有する箱状のものであれば、特に構造限定は不要である。
【００１４】
前記脚板３は、前記脚箱２の短辺ｃと略同じ横幅を有し且つ前記脚箱２の長辺ａと略同じ長さを有し、即ち前記長尺板４と略同じ形状の板材である。
【００１５】
そして、前記天板１下面の両側部に前記両脚箱２，２の長辺ａ又は中辺ｂを垂直に向けて連結し且つ各脚箱２の下端に前記脚板３をその板面を水平に向けて連結し、若しくは前記天板１下面の両側部に、短辺ｃを垂直に向けた前記脚箱２と板面を垂直に向けた前記脚板３の一方又は双方をそれぞれ連結してなるのである。ここで、前記脚箱２の長辺ａを垂直に向けた態様はＡ態様テーブルであり、中辺ｂを垂直に向けた態様はＢ態様テーブルであり、短辺ｃを垂直に向けた態様又は脚板３の板面を垂直に向けた態様はＣ態様テーブルである。
【００１６】
前述の各構成部材の連結構造には、特に制限はないが、例示した構造を簡単に説明する。基本的には、各構成部材の板面と板面が接合する部分は、複数のネジ８又はボルトにて締結する。前記脚箱２の両長尺板４，４と両短尺板５，５の四隅には前記ネジ８を挿通する貫通孔９，…を形成するとともに、前記天板１の下面及び脚板３の板面には前記ネジ８を螺合するオニメナット１０，…を埋設している。前記オニメナット１０，…を設けた位置は、前記天板１にあっては短辺側の下面両側部で、また前記脚板３にあっては略全面で、前記脚箱２の長尺板４に形成した貫通孔９，…と短尺板５に形成した貫通孔９，…とにそれぞれ対応する８箇所である。
【００１７】
先ず、通常の高さのＡ態様テーブルについて、図１〜図３に基づいて説明する。この場合、前記脚箱２の長辺ａを垂直に向けて上部の短尺板５を前記天板１の下面側部に接合した状態で、該短尺板５の貫通孔９に下方から通したネジ８を天板１の中央寄り４箇所のオニメナット１０に螺合して連結する。一方、前記脚箱２の下部の短尺板５に前記脚板３を接合した状態で、該短尺板５の貫通孔９に上方から通したネジ８を脚板３の中央寄り４箇所のオニメナット１０に螺合して連結する。
【００１８】
次に、中間の高さのＢ態様テーブルについて、図４及び図５に基づいて説明する。この場合、前記脚箱２の中辺ｂを垂直に向けて上部の長尺板４を前記天板１の下面側部に接合した状態で、該長尺板４の貫通孔９に下方から通したネジ８を天板１の長辺端部寄り４箇所のオニメナット１０に螺合して連結する。一方、前記脚箱２の下部の長尺板４に前記脚板３を接合した状態で、該長尺板４の貫通孔９に上方から通したネジ８を脚板３の両端部寄り４箇所のオニメナット１０に螺合して連結する。
【００１９】
また、最も低い高さのＣ態様テーブルについて、図６及び図７に基づいて説明する。この場合、前記天板１下面の両側部に、短辺ｃを垂直に向けた前記脚箱２と板面を垂直に向けた前記脚板３の双方をそれぞれ連結する。具体的には、前記天板１下面の両側部であって、内側に短辺ｃを垂直に向けて前記脚箱２を配し、外側に板面を垂直に向けて前記脚板３を配した状態で連結している。ここで、前記脚箱２は、長尺板４と短尺板５を天板１の下面に対して直交した状態で連結するが、それには前記長尺板４，４の端面の中央部に係合穴１１を形成するとともに、天板１の下面にも対応する箇所に係合穴１２を形成し、前記脚箱２の係合穴１１，１１にダボ１３，１３を嵌入した状態で、該脚箱２を天板１の下面側部に接合することで、前記ダボ１３，１３を天板１の係合穴１２，１２に嵌入して連結する。また、前記脚箱２の外側に前記脚板３を連結するには、前述のＢ態様テーブルにおける脚箱２と脚板３との連結と全く同じようにすれば良い。つまり、前記脚箱２の外側長尺板４の外側に脚板３を接合し、該長尺板４の貫通孔９に内側から通したネジ８を脚板３の両端部寄り４箇所のオニメナット１０に螺合して連結する。
【００２０】
Ｃ態様テーブルの場合、前記脚箱２の短辺ｃ、即ち長尺板４と短尺板５の横幅と、前記脚板３の横幅の寸法が同じであれば、脚箱２と脚板３とが同時に床面に接地するので、支持強度が高く安定する。また、前記脚箱２の短辺ｃよりも前記脚板３の横幅の寸法を若干大きくすれば、脚板３のみが床面に接地するので、支持強度は低下するが、床面に多少の凹凸、うねりがあってもぐらつかないので好ましい。また、前記脚板３を用いずに、図８に示すように、脚箱２，２のみで天板１を支持することも可能である。
【００２１】
図９及び図１０は、Ｃ態様テーブルにおける天板１と脚箱２又は脚板３の連結構造の他の実施形態である。図９は、前記脚箱２の長尺板４を天板１下面に直交状態で引き付け連結する場合、図１０は、前記脚板３を天板１下面に直交状態で引き付け連結する場合の例である。それには、市販されているハーフェレー金具を用いる。このハーフェレー金具は、一端にネジ部１４Ａを有し、他端に頭部１４Ｂを有するピン１４と、該ピン１４の頭部１４Ｂを受け入れて一方向回転によって偏心傾斜縁にて引き込む構造の回転体１５とからなるものである。そして、前記長尺板４又は脚板３の適所に端面から内方へ前記ピン１４を挿入する挿入孔１６を形成するとともに、該長尺板４又は脚板３の板面に前記挿入孔１６に連通する円形開口１７を形成する。
【００２２】
図９の場合には、前記挿入孔１６と対応して前記天板１下面の箇所に埋設したオニメナット１０に前記ピン１４のネジ部１４Ａを螺合した状態で、該ピン１４を前記脚箱２の長尺板４に形成した挿入孔１６に挿入し、該長尺板４の内側から円形開口１７に前記回転体１５を装着して頭部１４Ｂを受け入れ、該回転体１５を一方向に回転させてピン１４を引き込み、もって天板１に長尺板４を引き付けて連結するのである。それから、前記脚箱２の外側長尺板４の外側に前記脚板３を前記同様にネジ８を用いて連結する。しかし、この場合には、前記脚板３は取付けずに省略することも可能である。
【００２３】
図１０の場合には、ハーフェレー金具を用いて前記同様に天板１下面に脚板３を引き付けて連結する。そして、前記脚板３の内側に前記同様にネジ８を用いて連結する。しかし、この場合には、前記脚箱２は取付けずに省略することも可能である。
【００２４】
また、前記脚箱２の内部に少なくとも一面が開放した収納空間７を形成したので、前述の図１のＡ態様テーブル及び図４のＢ態様テーブルの場合に、該収納空間７に書籍や調味料、その他の物品を収納することができる。更に、図１１に示すように、Ａ態様テーブルにおいて、両長尺板４，４間に支持部材１８を渡設することで、腰の弱い雑誌や新聞等を収納空間７に収納でき、マガジンラックとして利用することができる。ここで、前記支持部材１８は、前記長尺板４に形成してある貫通孔９，…を利用して着脱可能に取付けることも好ましい。また、図示したように、下方の短尺板５と中間板６に接近して端板１９を取付けることも好ましい。ここで、前記脚箱２の短辺ｃの方向の内側一面を幕板で閉塞することも好ましく、その場合には収納空間７に収納した物品の内方への落下を防止できるばかりでなく、脚箱２の構造的強度を増加させることができるのである。
【００２５】
また、前述の実施形態では、前記天板１の大きさは１３５０ｍｍ×６００ｍｍのものであり、Ｃ態様テーブルにおいて天板１の下面に二つの脚箱２，２を連結できたが、天板１の大きさが小さい場合、例えば９００ｍｍ×６００ｍｍの場合には、図１２に示すように、天板１の下面に一つの脚箱２を前記同様に連結し、適宜脚板３，３を脚箱２の両側に連結する。この場合も、前記脚板３，３を用いないこともある。
【００２６】
また、Ｃ態様テーブルにおいて、天板１の下面に脚板２を連結する他の実施形態として、図１３に示したものは、Ｌ字形の連結部材２０を用いるものである。前記連結部材２０の一方の板片の外側面にオニメナット２１を埋設し、前記脚箱２の長尺板４又は短尺板５の貫通孔９を利用して、又は新たに設けた貫通孔２２を利用して、前記ネジ８を外側から挿通し、長尺板４又は短尺板５の内側に配した連結部材２０のオニメナット２１に螺合して取付け、それから連結部材２０の他方の板片に形成した貫通孔２３に下方からネジ８を挿通し、天板１の下面に設けた前記オニメナット１０又は新たに設けたオニメナット２４に螺合して取付け、もって連結部材２０を介して天板１に脚箱２を連結するのである。
【００２７】
【発明の効果】
以上にしてなる請求項１に係る発明の組替え可能なテーブルは、構成部材を組替えることにより高さを変更することが可能な組替え可能なテーブルであって、前記構成部材として、天板と、それぞれ３辺の寸法が異なる長辺、中辺、短辺を有する箱状の一対の脚箱と、前記脚箱の短辺と略同じ横幅を有し且つ前記脚箱の長辺と略同じ長さを有する一対の脚板とからなり、前記天板下面の両側部に前記両脚箱の長辺又は中辺を垂直に向けて連結し且つ各脚箱の下端に前記脚板をその板面を水平に向けて連結し、若しくは前記天板下面の両側部に、短辺を垂直に向けた前記脚箱と板面を垂直に向けた前記脚板の一方又は双方をそれぞれ連結してなるので、構成部材を組替えることにより高さを変更することが可能であり、しかも最小部品点数で三段階の高さ調節を行うことができ、しかも座卓のように床に直接座ったまま使用できる高さにも変更でき、デザイン的にもスッキリしたものになる。
【００２８】
請求項２及び３によれば、天板と脚箱と脚板の３構成部材を過不足なく使用して、三段階で高さが異なるテーブルを構成することができる。
【００２９】
請求項４によれば、脚箱の収納空間に書籍、雑誌、新聞、調味料等の物品を収納することができ、空間の有効利用が図れ、テーブルの利便性をより高めることができる。
【００３０】
請求項５によれば、構成部材が天板と二つの脚箱のみの最小部品点数であり、構成部材を組替えることにより三段階の高さを有するテーブルを構成でき、しかも座卓のように床に直接座ったまま使用できる高さにも変更でき、デザイン的にもスッキリしたものになる。
【図面の簡単な説明】
【図１】本発明に係る組替え可能なテーブルを示し、高さが最も高いテーブルの斜視図である。
【図２】同じく分解斜視図である。
【図３】各構成部材の連結状態を示す部分断面図である。
【図４】本発明に係る組替え可能なテーブルを示し、高さが中間のテーブルの斜視図である。
【図５】同じく分解斜視図である。
【図６】本発明に係る組替え可能なテーブルを示し、高さが最も低いテーブルの斜視図である。
【図７】同じく分解斜視図である。
【図８】同じく脚板を省略した状態のテーブルの正面図である。
【図９】高さが最も低いテーブルを構成する場合の天板と脚箱との連結構造の他の実施形態を示す部分断面図である。
【図１０】高さが最も低いテーブルを構成する場合の天板と脚板との連結構造の他の実施形態を示す部分断面図である。
【図１１】脚箱の内部に形成した収納空間の利用例を示す斜視図である。
【図１２】高さが最も低いテーブルを構成する場合に、小さい天板の下面に一つの脚箱を連結するときの分解斜視図である。
【図１３】高さが最も低いテーブルを構成する場合の天板と脚箱との連結構造の他の実施形態を示す断面図である。
【符号の説明】
１　天板　　　　　　２　脚箱
３　脚板　　　　　　４　長尺板
５　短尺板　　　　　６　中間板
７　収納空間　　　　８　ネジ
９　貫通孔　　　　　１０　オニメナット
１１　係合穴　　　　１２　係合穴
１３　ダボ　　　　　１４　ピン
１５　回転体　　　　１６　挿入孔
１７　円形開口　　　１８　支持部材
１９　端板　　　　　２０　連結部材
２１　オニメナット　２２　貫通孔
２３　貫通孔　　　　２４　オニメナット
【図１】
2004016450.tif 000003
【図２】
2004016450.tif 000004
【図３】
2004016450.tif 000005
【図４】
2004016450.tif 000006
【図５】
2004016450.tif 000007
【図６】
2004016450.tif 000008
【図７】
2004016450.tif 000009
【図８】
2004016450.tif 000010
【図９】
2004016450.tif 000011
【図１０】
2004016450.tif 000012
【図１１】
2004016450.tif 000013
【図１２】
2004016450.tif 000014
【図１３】
2004016450.tif 000015